(57)【特許請求の範囲】
【請求項１】
フロントフォークを覆うフロントカバーの上方にハンドルを覆うハンドルカバーを設け、
このハンドルカバーとメータの前部を覆うメータバイザとを一体成形し、
前記ハンドルカバーに前記メータバイザを区画する溝部を正面視Ｖ字状に形成し、
前記フロントカバーの前面に下縁がＶ字状に形成されたヘッドランプを設け、
このヘッドランプのレンズ面は、円形のクリア面と、このクリア面の周囲に配置されるカット面とから構成され、
前記クリア面の下部と前記ヘッドランプの下縁とで囲まれる三角形状の前記カット面に対応する部分にバルブを前方に向けたポジションランプを付設したことを特徴とする車体前部構造。
【請求項２】
前記フロントカバーの前面にウインカーを設け、前記カット面及び前記ウインカーのそれぞれの下縁をＶ字状に形成したことを特徴とする請求項１記載の車体前部構造。
【請求項３】
前記フロントカバーに、前記カット面の下縁に沿う凹部を形成したことを特徴とする請求項１又は請求項２記載の車体前部構造。
【請求項４】
前記ハンドルカバーの下縁を正面視Ｖ字状に形成したことを特徴とする請求項１記載の車体前部構造。
【発明の詳細な説明】
【０００１】
【発明の属する技術分野】
本発明は、メータバイザを強調させ、また、ハンドルカバー及びフロントカバーの商品魅力を高める車体前部構造に関する。
【０００２】
【従来の技術】
車体前部構造としては、例えば、特開平１０−１６７１４６号公報「車両における付属品取付構造」に記載されたものが知られている。
上記公報の図１及び図２には、操向ハンドル４をハンドルカバーで覆い、このハンドルカバーにメータパネルを取付け、このメータパネルの前方に、ハンドルカバーに一体成形したメータバイザを配置した構造が記載されている。
【０００３】
【発明が解決しようとする課題】
上記公報の技術では、ハンドルカバーにメータバイザを一体成形したことで、部品数を減らすには有効であるが、このようにメータバイザを一体成形すると、外観のデザインとしてアクセントが薄れ、魅力に欠けたものとなる。また、ハンドルカバーの外観意匠とフロントカバーの外観意匠との協調などには特に配慮がなされていない。
【０００４】
そこで、本発明の目的は、車体前部構造を改良することで、メータバイザを強調させ、また、ハンドルカバー及びフロントカバーの外観意匠を協調させることで商品魅力を高めることにある。
【０００５】
【課題を解決するための手段】
上記目的を達成するために請求項１は、フロントフォークを覆うフロントカバーの上方にハンドルを覆うハンドルカバーを設け、このハンドルカバーとメータの前部を覆うメータバイザとを一体成形し、ハンドルカバーにメータバイザを区画する溝部を正面視Ｖ字状に形成し、フロントカバーの前面に下縁がＶ字状に形成されたヘッドランプを設け、このヘッドランプのレンズ面を、円形のクリア面と、このクリア面の周囲に配置されるカット面とから構成し、クリア面の下部とヘッドランプの下縁とで囲まれる三角形状のカット面に対応する部分にバルブを前方に向けたポジションランプを付設したことを特徴とする。
【０００６】
メータバイザをハンドルカバーに一体成形しても、Ｖ字状に形成した溝部によってメータバイザを強調して存在感を得ることができ、商品魅力を引き出すことができる。また、デッドスペースとなりがちな三角形状部を発光部として有効活用することができる。
【０００７】
請求項２は、フロントカバーの前面にウインカーを設け、カット面及びウインカーのそれぞれの下縁をＶ字状に形成したことを特徴とする。
ハンドルカバーだけでなく、フロントカバーに設けたヘッドランプ及びウインカーにデザインの一体感が生じ、ハンドルカバー及びフロントカバーの外観意匠を協調させることができ、デザインの統一性がユーザーに好印象を与えることができて、車体前部の商品魅力を高めることができる。
【０００８】
請求項３は、フロントカバーに、カット面の下縁に沿う凹部を形成したことを特徴とする。
フロントカバーの凹部によって、ヘッドランプのＶ字状にした下縁を強調することができ、より精悍な印象を与えることができる。
【０００９】
請求項４は、ハンドルカバーの下縁を正面視Ｖ字状に形成したことを特徴とする。
Ｖ字状の下縁によってハンドルカバー全体として精悍な印象を与えることができる。
【００１０】
【発明の実施の形態】
本発明の実施の形態を添付図に基づいて以下に説明する。なお、図面は符号の向きに見るものとする。
図１は本発明に係る車体前部構造を採用した自動二輪車の斜視図であり、自動二輪車１０は、各部のデザインに統一性を持たせることで、これまでの二輪車、特にスクータ型車両には乏しかった精悍で、シャープな外観性を強くアピールするとともに、特徴ある機能をも付加した車両である。
【００１１】
即ち、ハンドル１１を覆うハンドルカバー１２、フロントフォーク１３の上部を覆うフロントカバー１４、フロントカバー１４に埋め込んだヘッドランプ１５及びフロントウインカー１６，１６（片側のフロントウインカー１６は不図示）、前輪１７の上部を覆うフロントフェンダ１８、運転者が足を載せるステップフロア２１、タンデムシート２２、タンデムシート２２の下方を覆うボディカバー２３、ボディカバー２３の後方に配置したテールランプユニット（不図示）、タンデムシート２２の後部に着座する同乗者が握るためにタンデムシート２２の後方に配置したリヤグリップ２４が上記したデザインの統一性及び特徴ある機能の付加の対象となる部品である。なお、ボディカバー２３の後述する凹部２３ａには、その形状の理解を容易にするためにハッチングを施した。（以下、図６及び図７も同様。）
【００１２】
図２は本発明に係る自動二輪車の側面図であり、自動二輪車１０は、車体フレーム３１の前端に取付けたヘッドパイプ３２と、このヘッドパイプ３２に回転可能に取付けたフロントフォーク１３と、このフロントフォーク１３の下端に取付けた前輪１７と、この前輪１７を覆うフロントフェンダ１８と、フロントフォーク１３の上部に取付けたハンドル１１と、このハンドル１１を覆うハンドルカバー１２と、フロントフォーク１３の上部を覆うフロントカバー１４と、フロントカバー１４の前面とレンズ面とがほぼ連続な連続面となるように配置したヘッドランプ１５と、同じくフロントカバー１４の前面とレンズ面がほぼ連続な連続面となるように配置したフロントウインカー１６，１６（奥側のフロントウインカー１６は不図示）と、フロントカバー１４の側部後部に設けたレッグシールド３３とからなる。
【００１３】
また、自動二輪車１０は、レッグシールド３３の後部に取付けたフロントインナカバー３４と、これらのレッグシールド３３及びフロントインナカバー３４の下部後方に配置したステップフロア２１と、このステップフロア２１の後上方の車体を覆うボディカバー２３と、このボディカバー２３の上方に配置したタンデムシート２２と、このタンデムシート２２の後方に配置したリヤグリップ２４と、ボディカバー２３の後方に配置したテールランプユニット３５と、ボディカバー２３の後部下方に取付けたリヤフェンダ３６と、上記ステップフロア２１の後部に取付けた収納可能な同乗者用ステップ３７と、ステップフロア２１の下部を覆うロアカバー３８とからなる。
【００１４】
更に、自動二輪車１０は、車体フレーム３１の中央部下部にスイング可能に取付けたスイング式のパワーユニット４１と、このパワーユニット４１の後部に取付けた後輪４２と、パワーユニット４１の後端及び車体フレーム３１の後部にそれぞれ端部を取付けたリヤクッションユニット４３と、パワーユニット４１の下方に配置したスタンド４４とからなる。
【００１５】
ここで、５１はラジエータ、５２はラジエータ用ファン、５３は冷却水のリザーバタンク、５４…（…は複数個を示す。以下同様。）はロアカバー３８に設けた通風口、５５はバッテリ、５６は点火プラグメンテナンス用リッド、５７はキャブレタ、６１はエアクリーナ、６２は燃料タンク、６３はヘルメット等を収納する収納ボックス、６４，６４はバックミラー、６５，６６はブレーキレバー（奥側のブレーキレバー６６は不図示）、６７はパワーユニット４１の前部を構成するエンジン、６７ａ，６７ｂ，６７ｃはエンジン６７を構成するシリンダ部、シリンダヘッド、ヘッドカバー、６８はクランク軸である。
【００１６】
図３は本発明に係る車体前部構造の要部を示す側面図であり、車体前部のフロントカバー１４の前面１４ａとヘッドランプ１５のレンズ面１５ａとをほぼ段差なく連続させた連続面とし、フロントカバー１４の前面１４ａを、ヘッドランプ１５より上方に位置するカバーアッパ面１４ｂとヘッドランプ１５より下方に位置するカバーロア面１４ｃとから構成し、ヘッドランプ１５のレンズ面１５ａを上下に、鉛直線に対する傾斜角θ１をフロントカバー１４のカバーアッパ面１４ｂとほぼ同一にしたランプアッパ面１５ｂと、このランプアッパ面１５ｂよりも鉛直線に対する傾斜角θ２を小さくしたレンズロア面１５ｃとから構成し、これらのレンズアッパ面１５ｂとレンズロア面１５ｃとの境界を屈曲点１５ｄとしたことを示す。
【００１７】
フロントカバー１４のカバーロア面１４ｃは、上部にヘッドランプ１５の下縁に沿う凹部１４ｄを形成した部分である。
フロントカバー１４はレッグシールド３３と一体成形したものである。
【００１８】
フロントカバー１４の下方に配置したフロントフェンダ１８は、側面視で、その上縁１８ａ（即ち、輪郭である。）を、上記したカバーアッパ面１４ｂ及びレンズアッパ面１５ｂの輪郭とほぼ平行に形成した部材である。
【００１９】
フロントカバー１４の上方に配置したハンドルカバー１２は、側面視で、その前面１２ａの輪郭を、上記したカバーロア面１４ｃの凹部１４ｄを除いた先端部１４ｅの輪郭にほぼ平行に形成した部材である。なお、７１はスピードメータ、燃料計等のメータ、７２はメータ７１の前方を覆うためにハンドルカバー１２に一体に成形したメータバイザ、７３は買物袋等を吊すフック（いわゆるコンビニフック）である。
【００２０】
図４は本発明に係る車体前部構造の要部を示す正面図であり、ヘッドランプ１５の下縁１５ｅ及びフロントウインカー１６，１６の下縁１６ａ，１６ａをそれぞれＶ字状に形成し、フロントカバー１４の凹部１４ｄをヘッドランプ１５の下縁１５ｅに沿ってＶ字状に形成し、フロントカバー１４のカバーロア面１４ｃ（ヘッドランプ１５及びフロントウインカー１６，１６の両方より下側の前面１４ａである。）に設けた稜線１４ｆをＶ字状に形成したことを示す。
【００２１】
また、図では、ハンドルカバー１２に、メータバイザ７２を区画する溝部１２ｂをＶ字状に形成し、ハンドルカバー１２自体の下縁１２ｃをもＶ字状に形成したことを示す。
【００２２】
ヘッドランプ１５は、レンズ面１５ａを、カットを施したカット面１５ｆとカットを施していないほぼ円形のクリア面１５ｇとから形成したものであり、下部の三角形状のカット面１５ｆに対応する部分にポジションランプ７４を付設する。なお、１５ｈは屈曲点１５ｄを通る稜線であり、この稜線１５ｈを境にしてレンズ面１５ａは屈曲する。
【００２３】
図５は図４の５−５線断面図であり、ヘッドランプ１５は、ハウジング７６と、このハウジング７６内に取付けたリフレクタ７７と、このリフレクタ７７のほぼ中央部に取付けたヘッドランプ用バルブ７８と、ハウジング７６の前部に取付けたレンズ８１とからなり、ハウジング７６の下部にポジションランプ７４用のポジションランプ用バルブ８２を取付けるとともにリフレクタ７７の下部にポジションランプ用リフレクタ８３を一体成形したものである。なお、８５，８６はヘッドランプ用バルブ７８に通電するためのケーブル及びコネクタ、８７はハウジング７６の後部に取付けたシールラバーである。
【００２４】
レンズ８１のレンズ面１５ａに設けた屈曲点１５ｄは、リフレクタ７７のほぼ上縁７７ａの高さ位置に設けたものであり、リフレクタ７７で反射した光のほとんどをレンズロア面１５ｃを透過させることで、車体前方に照射する光量を確保するようにした。
【００２５】
図６は本発明に係る車体の側面図であり、ボディカバー２３の側面に、後上方に向けて幅を狭くした三角形状の凹部２３ａを形成し、この凹部２３ａの最後部に、ボディカバー２３に後上がりに形成した稜線２３ｂの前端を繋げたことを示す。
凹部２３ａは、図２において、同乗者用ステップ３７の上方に配置した部分である。
【００２６】
図６に戻って、ボディカバー２３は、後端に後上方に向けて幅を狭くした延出部２３ｃを形成したものである。
ボディカバー２３の後方に配置したテールランプユニット３５は、ストップランプ９１と、このストップランプ９１の両側に配置したリヤウインカー９２，９２（奥側のリヤウインカー９２は不図示）とからなる。
【００２７】
ストップランプ９１は、レンズ９１ａの後端縁（即ち、レンズ面である）９１ｂを側面視で後上方に向けて幅が狭くなるように略横向きＶ字状に形成した部品である。
リヤウインカー９２は、レンズ９２ａの後端縁（即ち、レンズ面である）９２ｂを側面視で後上方に向けて幅が狭くなるように略横向きＶ字状に形成した部品である。
【００２８】
タンデムシート２２は、前半の運転者用シート９５と後半の同乗者用シート９６とからなり、同乗者用シート９６の座面９６ａとリヤグリップ２４の後部上面２４ａとをほぼ同じ高さにしたものである。
【００２９】
以上に述べたボディカバー２３の凹部２３ａの作用を次に説明する。
図７は本発明に係る凹部の作用を説明する作用図であり、例えば、夏季の市街を低速で走行する場合などでも、凹部２３ａによって、同乗者９８の脚部、特に膝下部分の内側に十分な走行風（走行風は矢印の向きに流れる）を当てることができ、運転者の後方で上半身等に走行風が当たりにくい同乗者９８に清涼感を感じさせることができる。
【００３０】
図８は本発明に係る車体の後部要部を示す斜視図であり、ボディカバー２３の後方に大型のリヤウインカー９２，９２（奥側のリヤウインカー９２は不図示）を配置した状態を示す。
【００３１】
図６に戻って、リヤウインカー９２は、側面視で、ボディカバー２３の延出部２３ｃとストップランプ９１との間に位置し、しかもボディカバー２３の略横向きＶ字状の延出部２３ｃ及びストップランプ９１の略横向きＶ字状の後端縁９１ｂに対して、このリヤウインカー９２の後端縁９２ｂを同様に略横向きのＶ字状としたため、ボディカバー２３の延出部２３ｃとストップランプ９１との間で極めて大きな面積を占有することができる。
【００３２】
図９は本発明に係る車体の後部要部の側面図であり、ボディカバー２３の延出部２３ｃを側面視でリヤウインカー９２のウインカー用バルブ１０１にラップする如くに形成したことを示す。
【００３３】
リヤウインカー９２は、着色していない透明又は半透明のレンズ９２ａを採用するため、側面視でウインカー用バルブ１０１の全体が見えないようにして外観性を向上させるとともに、ウインカー用バルブ１０１の全体を隠さないようにし且つレンズ面積を大きくすることで光量の低下を防止して遠方からの視認性を向上させる。
【００３４】
図１０は本発明に係る車体の後部を示す背面図であり、ストップランプ９１のレンズ９１ａ下部の後面側縁９１ｃ，９１ｃを下方に向って幅広になるように形成することで、後面視でのレンズ９１ａの面積をより拡大して後方からの視認性を向上させたものである。
【００３５】
図１１は本発明に係る車体の後部を示す斜視図であり、リヤグリップ２４をボディカバー２３を介して車体フレーム３１（図２参照）側に３ヶ所でボルト１０４…にて取付けたことを示す。なお、タンデムシート２２の後部でハッチングを施した部分は後述する三角形状部２２ｃである。
【００３６】
リヤグリップ２４は、Ｖ字状の幅広部２４ｂと、この幅広部２４ｂの端からそれぞれ延ばした細身の延長部２４ｃ，２４ｃとからなり、特に延長部２４ｃ，２４ｃは同乗者の側方に位置するため容易に手を掛けることができる。
【００３７】
図１２は本発明に係る車体後部の平面図であり、タンデムシート２２の後部、即ち同乗者用シート９６の後部を平面視で三角形状に後方へ突出させるとともに、リヤグリップ２４を平面視でタンデムシート２２の後部形状とほぼ同一な形状に形成したことを示す。
【００３８】
即ち、タンデムシート２２の後縁２２ａをＶ字状に形成するとともにリヤグリップ２４の中央前縁２４ｄをタンデムシート２２の後縁２２ａとほぼ同一なＶ字状に形成する。
【００３９】
更に、タンデムシート２２の側縁２２ｂ，２２ｂを後方に向けて幅を狭くするとともにリヤグリップ２４の端部前縁（即ち、延長部２４ｃ，２４ｃの内縁である。）２４ｅ，２４ｅをタンデムシート２２の側縁２２ｂ，２２ｂとほぼ同一に後方に向けて幅を狭くする。
【００４０】
タンデムシート２２の後部にはハッチングを施した三角形状部２２ｃができるから、同乗者用シート９６の面積を拡大することができ、同乗者が座り易くなる。また、荷物を積むにも都合がいい。
【００４１】
また、リヤグリップ２４の後縁２４ｆ、ボディカバー２３の後端縁２３ｄ、ストップランプ９１の上面後端縁９１ｄ及びテールランプユニット３５の後端縁３５ａ（この後端縁３５ａは、平面視でストップランプ９１の上面後端縁９１ｄとリヤウインカー９２，９２の上面後端縁とを合わせた部分である。）をも後方に向って幅が狭くなるように形成する。
【００４２】
このように、タンデムシート２２の後縁２２ａ、リヤグリップ２４の中央前縁２４ｄ及び後縁２４ｆ、ボディカバー２３の後端縁２３ｄ、ストップランプ９１の上面後端縁９１ｄ及びテールランプユニット３５の後端縁３５ａをそれぞれＶ字状に形成することで、統一あるデザインとすることができ、車体後部のデザインとして好印象を与えることができる。
【００４３】
図１３は本発明に係る車体後部の作用を説明する作用図であり、タンデムシート２２の同乗者用シート９６の座面９６ａとリヤグリップ２４の後部上面２４ａとに長尺の荷物１０６を積み、ロープ１０７で固定したことを示す。
このように、同乗者用シート９６の座面９６ａとリヤグリップ２４の後部上面２４ａとをほぼ同一な高さにすれば、荷物１０６を安定して積むことができる。
【００４４】
図１４（ａ）〜（ｃ）は本発明に係る車体の荷物収納構造を説明する説明図であり、（ａ）は自動二輪車１０の車体中央部、即ちステップフロア２１を説明する斜視図であり、ステップフロア２１の上面に上部リッド１１１を設け、ステップフロア２１下のロアカバー３８に下部リッド１１２を設けて、ステップフロア２１内に設けた収納スペース（以下で詳述する。）を利用可能にしたことを示す。
【００４５】
（ｂ）はステップフロアの横断面図であり、ステップフロア２１の中央部では、車体フレーム３１とこの車体フレーム３１の下部に取付けたサブフレーム１１４，１１４を三角形の各頂点に配置した構造であるため、これらの車体フレーム３１及びサブフレーム１１４，１１４の間の中央スペース１１５に、例えば、ラジエータ５１等の機能部品を配置し、中央スペース１１５の側方に収納スペース１１６を形成し、この収納スペース１１６に、例えば、汚れても差し支えない盗難防止部材１１７を収納することを示す。
上部リッド１１１はステップフロア２１に脱着自在とし、下部リッド１１２はロアカバー３８に開閉可能とした部材である。
【００４６】
盗難防止部材１１７は、例えば、サブフレーム１１４に一端を連結し、他端をガードレール、電柱、ポール等の車外設置部材に連結可能なものである。これにより、盗難防止部材１１７を使用する場合には、盗難防止部材１１７の他端のみを連結すればよく、連結作業を容易に行うことができ、また、盗難防止部材１１７の一端を車体側に連結しておくことで、盗難防止部材１１７が紛失するのを防止することができる。盗難防止部材１１７としては、チェーン式、ワイヤ式のものが好適である。
（ｃ）は下部リッド１１２の斜視図であり、下部リッド１１２は本体１２１とこの本体１２１の内側端部に取付けた側壁１２２，１２２とからなる。
【００４７】
以上の図３及び図４で説明したように、本発明は第１に、車体前部に設けたハンドル１１にメータ７１を取付け、このメータ７１の前部をメータバイザ７２で覆った車体前部構造において、メータバイザ７２を、ハンドル１１を覆うハンドルカバー１２と一体成形し、このハンドルカバー１２にメータバイザ７２を区画する溝部１２ｂを正面視Ｖ字状に形成したことを特徴とする。
メータバイザ７２をハンドルカバー１２に一体成形しても、Ｖ字状に形成した溝部１２ｂによってメータバイザ７２を強調して存在感を得ることができ、商品魅力を引き出すことができる。
【００４８】
本発明は第２に、図４で説明したように、ハンドルカバー１２の下縁１２ｃを正面視Ｖ字状に形成したことを特徴とする。
Ｖ字状の下縁１２ｃによってハンドルカバー１２全体として精悍な印象を与えることができる。
【００４９】
本発明は第３に、ハンドルカバー１２の下方にフロントカバー１４を設け、このフロントカバー１４の前面１４ａにヘッドランプ１５及びフロントウインカー１６，１６を設け、これらのヘッドランプ１５及びウインカー１６，１６のそれぞれの下縁１５ｅ，１６ａ，１６ａをＶ字状に形成したことを特徴とする。
ハンドルカバー１２だけでなく、フロントカバー１２に設けたヘッドランプ１５及びフロントウインカー１６にデザインの一体感が生じ、ハンドルカバー１２及びフロントカバー１４の外観意匠を協調させることができ、デザインの統一性がユーザーに好印象を与えることができて、車体前部の商品魅力を高めることができる。
【００５０】
本発明は第４に、フロントカバー１４に、ヘッドランプ１５の下縁１５ｅに沿う凹部１４ｄを形成したことを特徴とする。
フロントカバー１４の凹部１４ｄによって、ヘッドランプ１５のＶ字状にした下縁１５ｅを強調することができ、より精悍な印象を与えることができる。
【００５１】
本発明は第５に、図３、図４及び図５で説明したように、ヘッドランプ１５の下部の三角形状部に、ポジションランプ用バルブ８２を前方に向けたポジションランプ７４を付設したことを特徴とする。
デッドスペースとなりがちな三角形状部を発光部として有効活用することができる。
【００５２】
尚、本発明では、ポジションランプをヘッドランプの下部に設けたが、これに限らず、ヘッドランプの左右端を利用して三角形状部を設け、この三角形状部に左右のポジションランプを設けてもよい。
【００５３】
【発明の効果】
本発明は上記構成により次の効果を発揮する。
請求項１の車体前部構造は、フロントフォークを覆うフロントカバーの上方にハンドルを覆うハンドルカバーを設け、このハンドルカバーとメータの前部を覆うメータバイザとを一体成形し、ハンドルカバーにメータバイザを区画する溝部を正面視Ｖ字状に形成し、フロントカバーの前面に下縁がＶ字状に形成されたヘッドランプを設け、このヘッドランプのレンズ面を、円形のクリア面と、このクリア面の周囲に配置されるカット面とから構成し、クリア面の下部とヘッドランプの下縁とで囲まれる三角形状のカット面に対応する部分にバルブを前方に向けたポジションランプを付設したので、メータバイザをハンドルカバーに一体成形しても、Ｖ字状に形成した溝部によってメータバイザを強調して存在感を得ることができ、商品魅力を引き出すことができる。また、デッドスペースとなりがちな三角形状部を発光部として有効活用することができる。
【００５４】
請求項２の車体前部構造は、フロントカバーの前面にウインカーを設け、カット面及びウインカーのそれぞれの下縁をＶ字状に形成したので、ハンドルカバーだけでなく、フロントカバーに設けたヘッドランプ及びウインカーにデザインの一体感が生じ、ハンドルカバー及びフロントカバーの外観意匠を協調させることができ、デザインの統一性がユーザーに好印象を与えることができて、車体前部の商品魅力を高めることができる。
【００５５】
請求項３の車体前部構造は、フロントカバーに、カット面の下縁に沿う凹部を形成したので、フロントカバーの凹部によって、ヘッドランプのＶ字状にした下縁を強調することができ、より精悍な印象を与えることができる。
【００５６】
請求項４の車体前部構造は、ハンドルカバーの下縁を正面視Ｖ字状に形成したので、Ｖ字状の下縁によってハンドルカバー全体として精悍な印象を与えることができる。
【図面の簡単な説明】
【図１】  本発明に係る車体前部構造を採用した自動二輪車の斜視図
【図２】  本発明に係る自動二輪車の側面図
【図３】  本発明に係る車体前部構造の要部を示す側面図
【図４】  本発明に係る車体前部構造の要部を示す正面図
【図５】  図４の５−５線断面図
【図６】  本発明に係る車体の側面図
【図７】  本発明に係る凹部の作用を説明する作用図
【図８】  本発明に係る車体の後部要部を示す斜視図
【図９】  本発明に係る車体の後部要部の側面図
【図１０】  本発明に係る車体の後部を示す背面図
【図１１】  本発明に係る車体の後部を示す斜視図
【図１２】  本発明に係る車体後部の平面図
【図１３】  本発明に係る車体後部の作用を説明する作用図
【図１４】  本発明に係る車体の荷物収納構造を説明する説明図
【符号の説明】
１１…ハンドル、１２…ハンドルカバー、１２ｂ…ハンドルカバーの溝部、１２ｃ…ハンドルカバーの下縁、１３…フロントフォーク、１４…フロントカバー、１４ａ…フロントカバーの前面、１４ｄ…フロントカバーの凹部、１５…ヘッドランプ、１５ａ…レンズ面、１５ｅ…ヘッドランプの下縁、１５ｆ…カット面、１５ｇ…クリア面、１６…ウインカー（フロントウインカー）、１６ａ…フロントウインカーの下縁、７１…メータ、７２…メータバイザ、７４…ポジションランプ、８２…バルブ（ポジションランプ用バルブ）。
【図１】
0003842116.tif 000002
【図２】
0003842116.tif 000003
【図３】
0003842116.tif 000004
【図４】
0003842116.tif 000005
【図５】
0003842116.tif 000006
【図６】
0003842116.tif 000007
【図７】
0003842116.tif 000008
【図８】
0003842116.tif 000009
【図９】
0003842116.tif 000010
【図１０】
0003842116.tif 000011
【図１１】
0003842116.tif 000012
【図１２】
0003842116.tif 000013
【図１３】
0003842116.tif 000014
【図１４】
0003842116.tif 000015